(57)【要約】【課題】レバーまたは入賞部品または球通路の設置に対する制約の低減を図る。【解決手段】遊技基盤２Ａの裏面には球導出部品１０７が固定されることによって、レバー室１３１とレバー軸１３３および昇降ガイド部１３５が遊技基盤２Ａの裏側に設けられ、第４レバー１４２の軸受孔部１５２が球導出部品１０７の裏側からレバー軸１３３に嵌め込まれ、アーム１５３の被昇降ガイド部１５６が球導出部品１０７の裏側から昇降ガイド部１３５に嵌め込まれ、通路カバー１０９が第４レバー１４２の裏側から第４レバー１４２を覆い球導出部品１０７に固定されている。つまり、第４レバー１４２が球導出部品１０７の裏面に設けられ、複数の入賞口、球導出部品１０７と遊技基盤２Ａとの間に形成される球通路のそれぞれが、第４レバー１４２からの制約を受けることなく設けられる。【選択図】図１
2007268090.tif 000002
【特許請求の範囲】
【請求項１】
遊技基盤と、遊技基盤の前面の遊技領域に設けられた或る入賞口と、遊技基盤の前面の遊技領域に設けられた開閉体を有する別の入賞口と、遊技領域から各入賞口に入って遊技基盤の裏側に排出された球を下方に誘導するように遊技基盤の裏面に設けられた球導出部品と、或る入賞口に入った球で動かされることによって別の入賞口に対する開閉体を開くレバーとを備えたパチンコ遊技機の遊技盤において、レバーが球導出部品の裏面に設けられたことを特徴とするパチンコ遊技機の遊技盤。
【請求項２】
請求項１に記載した球導出部品から裏側に突出するレバー軸が球導出部品に設けられ、レバーには軸受孔部が設けられ、軸受部がレバー軸に着脱可能に嵌め込まれたことを特徴とするパチンコ遊技機の遊技盤。
【請求項３】
請求項１に記載したレバーを裏側から覆う通路カバーが設けられたことを特徴とするパチンコ遊技機の遊技盤。
【請求項４】
請求項３に記載した通路カバーにはレバー軸におけるレバーから裏側に突出した後端部と対向する軸被覆部が設けられたことを特徴とするパチンコ遊技機の遊技盤。
【発明の詳細な説明】
【技術分野】
【０００１】
本発明は、レバーまたは入賞部品または球通路の設置に対する制約が少なくなるパチンコ遊技機の遊技盤に関する。
【背景技術】
【０００２】
パチンコ遊技機の遊技盤には、遊技基盤に次のような連動入賞機構を設けたものが知られている。それは、或る入賞口に入った入賞球が遊技基盤の裏側で落下してレバー（梃子と同義語）を動かし、レバーが別の入賞口に対する開閉体を開く機構である。しかしながら、レバーが遊技基盤の裏側で入賞球を誘導するセット盤における遊技基盤の側に面に取り付けられ、セット盤が遊技基盤の裏面に取り付けられることによって、レバーがセット盤と遊技基盤との間に配置される構造、または、レバーが連動用の複数の入賞口を一体に備えた入賞部品に設けられた構造である。このため、レバーがセット盤の球を誘導する球通路に衝突しないように遊技基盤に設置されなければならず、レバーまたは入賞部品または球通路の設置に制約が多いという欠点がある。
【特許文献１】実公昭５５−５１８６号公報
【特許文献２】特公昭５７−１５９１９号公報
【特許文献２】特開平４−３１７６７８号公報
【発明の開示】
【発明が解決しようとする課題】
【０００３】
発明が解決しようとする問題点は、レバーまたは入賞部品または球通路の設置に制約が多いという点である。
【課題を解決するための手段】
【０００４】
本発明に係るパチンコ遊技機の遊技盤は、遊技基盤と、遊技基盤の前面の遊技領域に設けられた或る入賞口と、遊技基盤の前面の遊技領域に設けられた開閉体を有する別の入賞口と、遊技領域から各入賞口に入って遊技基盤の裏側に排出された球を下方に誘導するように遊技基盤の裏面に設けられた球導出部品と、或る入賞口に入った球で動かされることによって別の入賞口に対する開閉体を開くレバーとを備えパチンコ遊技機の遊技盤において、レバーが球導出部品の裏面に設けられたことを最も主要な特徴とする。球導出部品から裏側に突出するレバー軸が球導出部品に設けられ、レバーには軸受部が設けられ、軸受部がレバー軸に着脱可能に嵌め込まれたり、または、レバーを裏側から覆う通路カバーが設けられたり、または、通路カバーにはレバー軸におけるレバーから裏側に突出した後端部と対向する軸被覆部が設けられたりしてもよい。
【発明の効果】
【０００５】
本発明に係るパチンコ遊技機の遊技盤は、レバーが球導出部品の裏面に設けられたことによって、入賞口、球導出部品と遊技基盤との間に形成される球通路のそれぞれが、レバーに衝突することなく設けることができるという利点がある。球導出部品から裏側に突出するレバー軸が球導出部品に設けられ、レバーには軸受孔部が設けられ、軸受孔部がレバー軸に裏側から着脱可能に嵌め込まれれば、レバーの取り付けや取り外しが容易に行えるという利点がある。レバーを裏側から覆う通路カバーが設けられ、通路カバーが球導出部品または遊技基盤に取り付けられれば、通路カバーがレバーの抜け止め部材として作用し、通路カバーがレバーの脱落を防止することができるという利点がある。通路カバーにはレバー軸におけるレバーから裏側に突出した後端部と対向する軸被覆部が設けられれば、レバーと通路カバーとの接触を防止し、レバーの動きが円滑になるという利点がある。
【発明を実施するための最良の形態】
【０００６】
図１乃至図１４は、発明を実施するための最良の形態である。図１のａ図は、遊技盤２の連動入賞機構１２５の一部の分解した横方向の断面を示す。図１のｂ図は、遊技盤２の連動入賞機構１２５の一部の組み立てられた横方向の断面を示す。図２は、パチンコ遊技機の正面を示す。図３は、第１乃至第１１入賞部品２１乃至３１における入賞口の構成を示す。図４は、第１乃至第１１入賞部品２１乃至３１と第１乃至第２２入賞口３２乃至５３と払出と連動との相互関係を示す。図５は、球が入賞した場合における第１入賞口３２、第２入賞口３３、第５乃至第２２入賞口３６乃至５３の相互関係を示す。図６は、遊技盤２の裏側を分解して示す。図７は、遊技盤２の組み立てられた裏側を示す。図８は、遊技盤２の連動入賞機構１２５を分解して示す。図９は、連動入賞機構１２５における遊技基盤２Ａ、球導出部品１０７、第３レバー１４１、第４レバー１４２の組み立てられた裏側を示す。図１０は、連動入賞機構１２５の通路カバー１０９の組み立てられた裏側を示す。図１１は、連動入賞機構の動作を示す。図１２は、第６入賞部品２６を分解して示す。図１３は、第６入賞部品２６および第３レバー１４１を示す。図１４は、第８入賞部品２８および第４レバー１４２を示す。本明細書において、「前」、「表」、「後」、「裏」、「左」、「右」、「上」、「下」の方向は、図２の状態にパチンコ遊技機を置いて図２の紙面の前側から見た場合に特定される方向である。「前」および「表」は、同じ方向である。「後」および「裏」は、同じ方向である。
【０００７】
図１を参照し、遊技盤２の連動入賞機構１２５の特徴について説明する。図１では、レバーを動かすきっかけとなる或る入賞口として第６入賞口３７（図３参照）を例示し、第６入賞口３７に入賞した球によって遊技基盤２Ａの裏側で動かされるレバーとして第４レバー１４２を例示する。図１のａ図に示すように、遊技基盤２Ａの裏面には、球導出部品１０７が固定される。これによって、レバー室１３１、レバー軸１３３、昇降ガイド部１３５が遊技基盤２Ａの裏側に設けられる。その状態において、図１のｂ図に示すように、第４レバー１４２の軸受孔部１５２が球導出部品１０７の裏側からレバー軸１３３に嵌め込まれ、アーム１５３の被昇降ガイド部１５６が球導出部品１０７の裏側から昇降ガイド部１３５に嵌め込まれる。
【０００８】
次に、図１のｂ図に示すように、通路カバー１０９が、第４レバー１４２の裏側から第４レバー１４２を覆い、球導出部品１０７に固定される。これによって、レバー軸１３３における第４レバー１４２よりも裏側に突出した後端部と軸被覆部１５８とが互いに前後方向で対向する。このようにレバー軸１３３と軸被覆部１５８とが対向した場合、両者が接触しても離れてもよいが、両者が離れた場合、レバー軸１３３と軸被覆部１５８との間の隙間は、軸受孔部１５２とレバー軸１３３との嵌合した前後方向への寸法よりも小さければ、第４レバー１４２が球導出部品１０７から脱落しない。しかしながら、レバー室１３１の前壁と球受部１５０との間の寸法Ｈ１が１個の球の直径よりも小さく維持し、レバー室１３１において、レバー室１３１の前壁に接触しつつ落下した球が球受部１５０の上に載るように、上記レバー軸１３３と軸被覆部１５８との間の隙間が設定されることは必要である。
【０００９】
図１では、第４レバー１４２が球導出部品１０７の裏面に設けられたので、第６入賞口３７、第１９入賞口５０（図３参照）、球導出部品１０７と遊技基盤２Ａとの間に形成される球通路のそれぞれが、第４レバー１４２に衝突することなく設けられるという利点がある。球導出部品１０７から裏側に突出するレバー軸１３３が球導出部品１０７に設けられ、第４レバー１４２には軸受孔部１５２が設けられ、軸受孔部１５２がレバー軸１３３に裏側から着脱可能に嵌め込まれたので、第４レバー１４２の取り付けや取り外しが容易に行えるという利点がある。第４レバー１４２を裏側から覆う通路カバー１０９が設けられ、通路カバー１０９が球導出部品１０７に取り付けられたので、通路カバー１０９が第４レバー１４２の抜け止め部材として作用し、通路カバー１０９が第４レバー１４２の脱落を防止することができるという利点がある。通路カバー１０９には通路カバー１０９から前側に突出する軸被覆部１５８が設けられ、通路カバー１０９が第４レバー１４２を裏側から覆うように設けられることによって、軸被覆部１５８がレバー軸１３３における第４レバー１４２から裏側に突出した後端部と対向するので、第４レバー１４２と通路カバー１０９との接触を防止し、第４レバー１４２の動きが円滑になるという利点がある。図１における第４レバー１４２、レバー軸１３３、昇降ガイド部１３５、球受部１５０、軸受孔部１５２、軸被覆部１５８を、図８における第３レバー１４１、レバー軸１３２、昇降ガイド部１３４、球受部１４３、軸受孔部１４５、軸被覆部１５７と読み替えることによって、上記第４レバー１４２に関する利点は、第３レバー１４１に関する利点となることは明らかであろう。
【００１０】
図２を参照し、パチンコ遊技機の構造について説明する。パチンコ遊技機は、大まかには、遊技機枠１の内部に遊技盤２を交換可能に格納した形態である。遊技機枠１は、固定枠３の前側に可動枠４を開閉可能に備え、可動枠４の前側に前扉５および皿構造体６を開閉可能に備える。固定枠３は、遊技機設置構造体に取り付けるための外枠とも呼ばれる。遊技機設置構造体は、遊技店のパチンコ遊技機を設置する島とも呼ばれる設備である。可動枠４は、遊技盤２、球発射機構７、球払出機構８、払出制御装置５６、発射制御装置５７など遊技に必要な部品を取り付ける前枠とも呼ばれる。球払出機構８、払出制御装置５６、発射制御装置５７は、可動枠４の裏部に設けられる。前扉５は、パネル枠とも呼ばれ、前後方向に貫通する窓９を備える。窓９は、前面パネル１０で塞がれる。前面パネル１０は、前扉５の裏面に設けられた光透過性の有る無色なガラスのような板状の部材により構成される。皿構造体６の前面には、球受皿部１１および球発射操作機構１２が設けられる。
【００１１】
遊技盤２は、遊技基盤２Ａに、多種多様な遊技部品を備える。遊技基盤２Ａの前面には、遊技領域１３が設けられる。遊技盤２が遊技機枠１に格納された場合、遊技領域１３は、遊技機枠１の前側から窓９および前面パネル１０を経由して視認される。遊技領域１３は、遊技盤２の前面の内ガイドレール１４および外ガイドレール１５で囲まれた内側の部分である。遊技領域１３の左側には、球発射通路１６が接続される。球発射通路１６は、内ガイドレール１４の左側部と外ガイドレール１５の左側部との間の隙間によって形成される。遊技領域１３には、アウト口１７、球戻り防止弁１８、球反発体１９、遊技釘２０、第１入賞部品２１、第２入賞部品２２、第３入賞部品２３、第４入賞部品２４、第５入賞部品２５、第６入賞部品２６、第７入賞部品２７、第８入賞部品２８、第９入賞部品２９、第１０入賞部品３０、第１１入賞部品３１が設けられる。遊技基盤２Ａに設けられる多種多様な遊技部品は、内ガイドレール１４、外ガイドレール１５、アウト口１７、球戻り防止弁１８、球反発体１９、遊技釘２０、第１乃至第１１入賞部品２１乃至３１は、遊技基盤２Ａの前側に設けられる多種多様な遊技部品を構成する。遊技基盤２Ａの裏部には、主制御装置５４、演出制御装置５５が設けられる。
【００１２】
図３を参照し、第１乃至第１１入賞部品２１乃至３１における入賞口の構成について説明する。図３において、第６入賞口３７が大当たり遊技を発生するための特定入賞口を構成し、第１乃至第５入賞口３２乃至３６および第７乃至第２２入賞口３８乃至５３が特定入賞口以外の入賞口を構成する。第１入賞部品２１は、第１入賞口３２を備える。第２入賞部品２２は、第２入賞口３３を備える。第３入賞部品２３は、第３入賞口３４、第４入賞口３５、第５入賞口３６、第６入賞口３７、第７入賞口３８、第８入賞口３９、第９入賞口４０、第１０入賞口４１、第１１入賞口４２、第１２入賞口４３からなる１０個の入賞口を備える。第４入賞部品２４は、第１３入賞口４４、第１４入賞口４５を備える。第５入賞部品２５は、第１５入賞口４６、第１６入賞口４７を備える。第６入賞部品２６は、第１７入賞口４８を備える。第７入賞部品２７は、第１８入賞口４９を備える。第８入賞部品２８は、第１９入賞口５０を備える。第９入賞部品２９は、第２０入賞口５１を備える。第１０入賞部品３０は、第２１入賞口５２を備える。第１１入賞部品３１は、第２２入賞口５３を備える。第３入賞口３４には、図外の第３入賞球検出器が設けられる。第４入賞口３５には、図外の第４入賞球検出器が設けられる。
【００１３】
第１乃至第７入賞口３２乃至３８、第１２入賞口４３、第１４入賞口４５、第１６入賞口４７は、球を取り入れる口の大きさが不変な入賞口として構成される。第８乃至第１１入賞口３９乃至４２、第１３入賞口４４、第１５入賞口４６、第１７乃至第２２入賞口４８乃至５３は、球を取り入れる口の大きさが可変な入賞口として、球を取り入れる口の部分に開閉体を備え、開閉体が開放されると球を取り入れる口に球を入れることが可能になり、開閉体が閉鎖されると球を取り入れる口に球を入れることが不可能になるように、構成される。第１入賞口３２、第２入賞口３３、第５乃至第２２入賞口３６乃至５３は、入賞した球を遊技盤２の裏側に排出する。第３入賞口３４、第４入賞口３５は、入賞した球を第５乃至第７入賞口３６乃至３８のいずれかに必ず入賞するように第３入賞部品２３の前側で下方に落下する。第１乃至第４入賞口３２乃至３５、第８乃至第２２入賞口３９乃至５３は、球が入賞すると、賞球を払い出す。第５乃至第７入賞口３６乃至３８は、球が入賞しても、賞球を払い出さない。
【００１４】
第５入賞口３６、第８入賞口３９、第９入賞口４０、第１４入賞口４５のいずれかに入賞した球は、遊技盤２の裏側に排出され、第１３入賞口４４の開閉体を開放する。第７入賞口３８、第１０入賞口４１、第１１入賞口４２、第１６入賞口４７のいずれかに入賞した球は、遊技盤２の裏側に排出され、第１５入賞口４６の開閉体を開放する。第６入賞口３７に入賞した球は、遊技盤２の裏側に排出され、第１７乃至第１９入賞口４８乃至５０の開閉体、第２１入賞口５２の開閉体を開放する。第１７入賞口４８の開閉体が開放中において、第１７入賞口４８に入賞した球は、遊技盤２の裏側に排出され、第２０入賞口５１の開閉体を開放する。第１８入賞口４９の開閉体が開放中において、第１８入賞口４９に入賞した球は、遊技盤２の裏側に排出され、第２１入賞口５２の開閉体を開放する。第１９入賞口５０の開閉体が開放中において、第１９入賞口５０に入賞した球は、遊技盤２の裏側に排出され、第２２入賞口５３の開閉体を開放する。
【００１５】
要するに、図４にも示すように、第５入賞口３６に球が入賞した場合、賞球が払い出されず、第１３入賞口４４の開閉体が開放されるように、第５入賞口３６への入賞に第１３入賞口４４の開閉体の開放が連動する。第６入賞口３７に球が入賞した場合、賞球が払い出されず、第８乃至第１１入賞口３９乃至４２と第１７乃至第１９入賞口４８乃至５０および第２１入賞口５２の開閉体が開放されるように、第６入賞口３７への入賞に第８乃至第１１入賞口３９乃至４２と第１７乃至第１９入賞口４８乃至５０および第２１入賞口５２の開閉体の開放が連動する。第７入賞口３８に球が入賞した場合、賞球が払い出されず、第１５入賞口４６の開閉体が開放されるように、第７入賞口３８への入賞に第１５入賞口４６の開閉体の開放が連動する。第８入賞口３９に球が入賞した場合、賞球が払い出され、第１３入賞口４４の開閉体が開放されるように、第８入賞口３９への入賞に第１３入賞口４４の開閉体の開放が連動する。第９入賞口４０に球が入賞した場合、賞球が払い出され、第１３入賞口４４の開閉体が開放されるように、第９入賞口４０への入賞に第１３入賞口４４の開閉体の開放が連動する。第１０入賞口４１に球が入賞した場合、賞球が払い出され、第１５入賞口４６の開閉体が開放されるように、第１０入賞口４１への入賞に第１５入賞口４６の開閉体の開放が連動する。第１１入賞口４２に球が入賞した場合、賞球が払い出され、第１５入賞口４６の開閉体が開放されるように、第１１入賞口４２への入賞に第１５入賞口４６の開閉体の開放が連動する。第１４入賞口４５に球が入賞した場合、賞球が払い出され、第１３入賞口４４の開閉体が開放されるように、第１４入賞口４５への入賞に第１３入賞口４４の開閉体の開放が連動する。第１６入賞口４７に球が入賞した場合、賞球が払い出され、第１５入賞口４６の開閉体が開放されるように、第１１入賞口４２への入賞に第１５入賞口４６の開閉体の開放が連動する。第１７入賞口４８に球が入賞した場合、賞球が払い出され、第２０入賞口５１の開閉体が開放されるように、第１７入賞口４８への入賞に第２０入賞口５１の開閉体の開放が連動する。第１８入賞口４９に球が入賞した場合、賞球が払い出され、第２１入賞口５２の開閉体が開放されるように、第１８入賞口４９への入賞に第２１入賞口５２の開閉体の開放が連動する。第１９入賞口５０に球が入賞した場合、賞球が払い出され、第２２入賞口５３の開閉体が開放されるように、第１９入賞口５０への入賞に第２２入賞口５３の開閉体の開放が連動する。
【００１６】
図４において、入賞部品欄の第１乃至第１１は、図３の第１乃至第１１入賞部品２１乃至３１を表す。入賞口欄の第１乃至第２２は、図３の第１乃至第２２入賞口３２乃至５３を表す。払出欄の○印は、当該欄の左側に位置する入賞口への入賞に対し、賞球が払い出されることを表す。払出欄の×印は、当該欄の左側に位置する入賞口への入賞に対し、賞球が払い出されないことを表す。連動欄の○印は、当該欄の左側に位置する入賞口への入賞に対し、連動する入賞口が有ることを表す。連動欄の○印の右側には、連動する入賞口の該当する番号を表す。連動する入賞口の該当する番号は、図３の第８乃至第１１入賞口３９乃至４２と第１３入賞口４４と第１５入賞口４６と第１７乃至第２２入賞口４８乃至５３を表す。
【００１７】
図５を参照し、球が入賞した場合における第１入賞口３２、第２入賞口３３、第５乃至第２２入賞口３６乃至５３の相互関係について説明する。遊技盤２の裏面には、球通路が次のように構成される。第１球通路８３は、第１入賞口３２から遊技盤２の裏側に排出された球を、矢印Ｘ１で示す経路で、下方に誘導する。第１球通路８３を通過する球は、第１球通路８３に設けられた第１入賞球検出器６２で検出される。第２球通路８４は、第２入賞口３３、第１２入賞口４３のいずれかから遊技盤２の裏側に排出された球を、矢印Ｘ２；Ｘ３のいずれかで示す経路で、下方に誘導する。第２球通路８４を通過する球は、第２球通路８４に設けられた第２入賞球検出器６３で検出される。つまり、第１入賞口３２、第２入賞口３３、第１２入賞口４３のいずれかに入賞した球は、賞球の払い出しを伴い、他の入賞口の開閉体を開放することなく、遊技盤２の下部から下方に排出される。
【００１８】
第３球通路８５は、第５入賞口３６、第８入賞口３９、第９入賞口４０のいずれかから遊技盤２の裏側に排出された球を、矢印Ｘ４；Ｘ５；Ｘ６のいずれかで示す経路で、第１３入賞口４４の開閉体を開放するための部材の上に誘導する。第４球通路８６は、第１４入賞口４５から遊技盤２の裏側に排出された球を、矢印Ｘ７で示す経路で、真下の第１３入賞口４４の開閉体を開放するための部材の上に誘導する。第１３入賞口４４の開閉体を開放するための部材は、その上に乗った球の重さで動き、第１３入賞口４４の開閉体を開放する。第１３入賞口４４の開閉体を開放するための部材が動くと、その上に乗った球は、第１３入賞口４４の開閉体を開放するための部材から第１３入賞口４４を迂回して左斜め下方の第５球通路８７に排出される。第５球通路８７は、第１３入賞口４４の開閉体を開放するための部材から排出された球を、矢印Ｘ８で示す経路で、第１球通路８３の下部に集合するように誘導する。第５入賞口３６に入賞した球は、第５入賞口３６に設けられた第５入賞球検出器６６で検出される。第８入賞口３９に入賞した球は、第８入賞口３９から第３球通路８５に球を誘導する球通路８５Ａに設けられた第８入賞球検出器６９で検出される。第９入賞口４０に入賞した球は、第９入賞口４０から第３球通路８５に球を誘導する球通路８５Ｂに設けられた第９入賞球検出器７０で検出される。第１４入賞口４５に入賞した球は、第１４入賞口４５に設けられた第１３入賞球検出器７４で検出される。
つまり、第５入賞口３６、第８入賞口３９、第９入賞口４０、第１４入賞口４５のいずれかに入賞した球は、賞球の払い出しを伴い、第１３入賞口４４の開閉体を開放し、遊技盤２の下部から下方に排出される。
【００１９】
第６球通路８８は、第７入賞口３８、第１０入賞口４１、第１１入賞口４２のいずれかから遊技盤２の裏側に排出された球を、矢印Ｘ９；Ｘ１０；Ｘ１１のいずれかで示す経路で、第１５入賞口４６の開閉体を開放するための部材の上に誘導する。第７球通路８９は、第１６入賞口４７から遊技盤２の裏側に排出された球を、矢印Ｘ１２で示す経路で、真下の第１５入賞口４６の開閉体を開放するための部材の上に誘導する。第１５入賞口４６の開閉体を開放するための部材は、その上に乗った球の重さで動き、第１５入賞口４６の開閉体を開放する。第１５入賞口４６の開閉体を開放するための部材が動くと、その上に乗った球は、第１５入賞口４６の開閉体を開放するための部材から第１５入賞口４６を迂回して右斜め下方の第８球通路９０に排出される。第８球通路９０は、第１５入賞口４６の開閉体を開放するための部材から排出された球を、矢印Ｘ１３で示す経路で、第２球通路８４の下部に集合するように誘導する。第７入賞口３８に入賞した球は、第７入賞口３８に設けられた第７入賞球検出器６８で検出される。第１０入賞口４１に入賞した球は、第７入賞口３８から第６球通路８８に球を誘導する球通路８８Ａに設けられた第１０入賞球検出器７１で検出される。第１１入賞口４２に入賞した球は、第７入賞口３８から第６球通路８８に球を誘導する球通路８８Ｂに設けられた第１１入賞球検出器７２で検出される。第１６入賞口４７に入賞した球は、第１６入賞口４７に設けられた第１５入賞球検出器７６で検出される。つまり、第７入賞口３８、第１０入賞口４１、第１１入賞口４２のいずれかに入賞した球は、賞球の払い出しを伴い、第１５入賞口４６の開閉体を開放し、遊技盤２の下部から下方に排出される。
【００２０】
第９球通路９１は、第６入賞口３７から遊技盤２の裏側に排出された球を、矢印Ｘ１４で示す経路で、第１８入賞口４９の開閉体を開放するための部材の上に誘導する。第６入賞口３７に入賞した球は、第６入賞口３７に設けられた第６入賞球検出器６７で検出される。第１８入賞口４９の開閉体を開放するための部材に向けて第９球通路９１を落下する球は、その途中で、図８の第１レバー１２８、第２レバー１２９、第３レバー１４１、第４レバー１４２を動かす。上側における第１レバー１２８および第２レバー１２９は、第８乃至第１１入賞口３９乃至４２の開閉体を開放するための部材を個別に動かす。これによって、第８乃至第１１入賞口３９乃至４２の開閉体が開放する。第３レバー１４１および第４レバー１４２は、第１７入賞口４８および第１９入賞口５０の開閉体を開放するための部材を個別に動かす。これによって、第１７入賞口４８の開閉体および第１９入賞口５０の開閉体が開放する。図５に戻り、第１８入賞口４９の開閉体を開放するための部材は、その上に乗った球の重さで動き、第１８入賞口４９の開閉体を開放する。第１８入賞口４９の開閉体を開放するための部材が動くと、その上に乗った球は、第１８入賞口４９の開閉体を開放するための部材から第１８入賞口４９を迂回して右斜め下方の第１０球通路９２に排出される。
【００２１】
第１０球通路９２は、第１８入賞口４９の開閉体を開放するための部材から排出された球を、矢印Ｘ１５で示す経路で、第１１球通路９３の下部に集合するように誘導する。第１１球通路９３の下部に誘導された球は、矢印Ｘ１６で示す経路で、第１１球通路９３を下方に落下して第２１入賞口５２の開閉体を開放するための部材の上に誘導する。第２１入賞口５２の開閉体を開放するための部材は、その上に乗った球の重さで動き、第２１入賞口５２の開閉体を開放する。第２１入賞口５２の開閉体を開放するための部材が動くと、その上に乗った球は、第２１入賞口５２の開閉体を開放するための部材から第２１入賞口５２を迂回して左斜め下方の第１２球通路９４に排出される。第１２球通路９４は、第２１入賞口５２の開閉体を開放するための部材から排出された球を、矢印Ｘ１７で示す経路で、下方に排出する。つまり、第６入賞口３７に入賞した球は、賞球の払い出しを伴い、第８乃至第１１入賞口３９乃至４２の開閉体を開放し、第１７乃至第１９入賞口４８乃至５０の開閉体を開放し、第２１入賞口５２の開閉体を開放し、遊技盤２の下部から下方に排出される。
【００２２】
第１８入賞口４９から遊技盤２の裏側に排出された球は、矢印Ｘ１６で示す経路で、第１１球通路９３を経由して第２１入賞口５２の開閉体を開放するための部材の上に落下した後、矢印Ｘ１７示す経路で第１２球通路９４に排出される。第１８入賞口４９に入賞した球は、第１１球通路９３における第１０球通路９２の合流する部分よりも上部に設けられた第１７入賞球検出器７８で検出される。つまり、第１８入賞口４９に入賞した球は、賞球の払い出しを伴い、第２１入賞口５２の開閉体を開放し、遊技盤２の下部から下方に排出される。第２１入賞口５２から遊技盤２の裏側に排出された球は、矢印Ｘ１８で示す経路で、第１３球通路９５に排出される。第２１入賞口５２に入賞した球は、第１３球通路９５に設けられた第２０入賞球検出器８１で検出される。つまり、第２１入賞口５２に入賞した球は、賞球の払い出しを伴い、他の入賞口の開閉体を開放することなく、遊技盤２の下部から下方に排出される。
【００２３】
第１３入賞口４４から遊技盤２の裏側に排出された球は、矢印Ｘ１９で示す経路で、第１４球通路９６から第１５球通路９７に排出される。第１３入賞口４４に入賞した球は、第１４球通路９６に設けられた第１２入賞球検出器７３で検出される。つまり、第１３入賞口４４に入賞した球は、賞球の払い出しを伴い、他の入賞口の開閉体を開放することなく、遊技盤２の下部から下方に排出される。第１５入賞口４６から遊技盤２の裏側に排出された球は、矢印Ｘ２０で示す経路で、第１６球通路９８から第１７球通路９９に排出される。第１５入賞口４６に入賞した球は、第１６球通路９８に設けられた第１４入賞球検出器７５で検出される。つまり、第１５入賞口４６に入賞した球は、賞球の払い出しを伴い、他の入賞口の開閉体を開放することなく、遊技盤２の下部から下方に排出される。
【００２４】
第１７入賞口４８から遊技盤２の裏側に排出された球は、矢印Ｘ２１で示す経路で、第１８球通路１００を経由して第２０入賞口５１の開閉体を開放するための部材の上に落下した後、矢印Ｘ２２で示す経路で、第１９球通路１０１に排出される。第１７入賞口４８に入賞した球は、第１８球通路１００に設けられた第１６入賞球検出器７７で検出される。つまり、第１７入賞口４８に入賞した球は、賞球の払い出しを伴い、第２０入賞口５１の開閉体を開放し、遊技盤２の下部から下方に排出される。第２０入賞口５１から遊技盤２の裏側に排出された球は、矢印Ｘ２３で示す経路で、第２０球通路１０２に排出される。第２０入賞口５１に入賞した球は、第２０球通路１０２に設けられた第１９入賞球検出器８０で検出される。つまり、第２０入賞口５１に入賞した球は、賞球の払い出しを伴い、他の入賞口の開閉体を開放することなく、遊技盤２の下部から下方に排出される。第１９入賞口５０から遊技盤２の裏側に排出された球は、矢印Ｘ２４で示す経路で、第２１球通路１０３を経由して第２２入賞口５３の開閉体を開放するための部材の上に落下した後、矢印Ｘ２５で示す経路で、第２２球通路１０４に排出される。第１９入賞口５０に入賞した球は、第２１球通路１０３に設けられた第１８入賞球検出器７９で検出される。つまり、第１９入賞口５０に入賞した球は、賞球の払い出しを伴い、第２２入賞口５３の開閉体を開放し、遊技盤２の下部から下方に排出される。第２２入賞口５３から遊技盤２の裏側に排出された球は、矢印Ｘ２６で示す経路で、第２３球通路１０５に排出される。第２２入賞口５３に入賞した球は、第２３球通路１０５に設けられた第２１入賞球検出器８２で検出される。つまり、第２２入賞口５３に入賞した球は、賞球の払い出しを伴い、他の入賞口の開閉体を開放することなく、遊技盤２の下部から下方に排出される。
【００２５】
図６を参照し、遊技盤２の裏側の構造について説明する。遊技盤２は、遊技基盤２Ａ、第３入賞部品２３、主制御装置５４、演出制御装置５５、球導出部品１０７、部品カバー１０８、通路カバー１０９、取付台１１０を備える。主制御装置５４は、容器の内部に回路基板を格納された構造である。主制御装置５４の容器は、光を透過する性質の有る無色な合成樹脂から構成される。主制御装置５４の回路基板には、ＣＰＵ、ＲＯＭ、ＲＡＭ、入出力インタフェース、コネクタなどの電気部品が、主制御回路を構成するように実装される。主制御装置５４が取付台１１０に取り付けられた場合、主制御装置５４の裏側から回路基板の電気部品が容器を通して視認可能となる。演出制御装置５５は、前側容器１１１および後側容器１１２から構成される容器の内部に回路基板を格納した構造である。前側容器１１１および後側容器１１２は、光を透過する性質の有る無色な合成樹脂から構成される。演出制御装置５５の回路基板には、ＣＰＵ、ＲＯＭ、ＲＡＭ、入出力インタフェース、コネクタなどの電気部品が、演出制御回路を構成するように実装される。
【００２６】
そして、球導出部品１０７が遊技基盤２Ａの裏面に取り付けられ、部品カバー１０８および通路カバー１０９が球導出部品１０７の裏面に取り付けられ、演出制御装置５５が部品カバー１０８を裏側から覆うように球導出部品１０７の裏面に取り付けられ、取付台１１０が通路カバー１０９の下部および球導出部品１０７の下部を裏側から覆うように遊技基盤２Ａの裏面に取り付けられ、主制御装置５４が取付台１１０の裏面に取り付けられる。これによって、遊技盤２の裏側は、図７に示す構造になる。
【００２７】
図８を参照し、遊技盤２の連動入賞機構１２５の構造について、或る入賞口を第６入賞口３７とし、別の入賞口を第１７入賞口４８および第１９入賞口５０とし、レバーを第３レバー１４１および第４レバー１４２とし、第３レバー１４１および第４レバー１４２が球導出部品１０７の裏面に取り付けられた場合を例として説明する。遊技基盤２Ａには、部品逃避孔１１３；１１４；１１５；１１６；１１７；１１８；１１９；１２０；１２１；１２２；１２３が、前後方向への貫通孔として設けられる。部品逃避孔１１３乃至１１５は、図３の第１乃至第１１入賞部品２１乃至３１と個別に対を成す。
【００２８】
第３入賞部品２３は、部品基盤１２６の前部に第６入賞口３７を備え、部品基盤１２６の裏部に昇降籠１２７、第１レバー１２８、第２レバー１２９を備える。昇降籠１２７には、第１レバー１２８の一端部および第２レバー１２９の一端部が連結される。第３入賞部品２３が遊技基盤２Ａに取り付けられる場合、昇降籠１２７と第１レバー１２８および第２レバー１２９が遊技基盤２Ａの前側から部品逃避孔１１５に挿入され、部品基盤１２６の裏面が遊技基盤２Ａの前面に接触して部品逃避孔１１５を塞ぎ、図外のねじ釘が部品基盤１２６の設けられた貫通孔を経由して遊技基盤２Ａに締結される。これによって、第３入賞部品２３が遊技基盤２Ａに取り付けられ、昇降籠１２７が遊技基盤２Ａの裏面よりも裏側に突出する。そして、第６入賞口３７に入賞した球は、第６入賞口３７から昇降籠１２７に取り込まれ、昇降籠１２７が取り込まれた球の重さで下降する。昇降籠１２７が下降するのに伴い、第１レバー１２８および第２レバー１２９が動き、第１レバー１２８が第８入賞口３９の開閉体および第９入賞口４０の開閉体を開き、第２レバー１２９が第１０入賞口４１の開閉体および第１１入賞口４２の開閉体を開く。昇降籠１２７は、下降限度位置に到達する過程において、球導出部品１０７の第９球通路９１の上部に取り込まれる。昇降籠１２７が下降限度位置に到達すると、球が昇降籠１２７から裏側に排出される。
【００２９】
球導出部品１０７は、セット板とも呼ばれ、遊技基盤２Ａの裏面に釘などの固定具で取り付けられることによって、遊技基盤２Ａの裏側に排出された球を下方に誘導して排出するための図５の第１乃至第２３球通路８３乃至１０５および部品逃避孔１３０Ａ乃至１３０Ｉを備える。部品逃避孔１３０Ａは、第３入賞部品２３の裏側部分を逃げるための前後方向への貫通孔である。部品逃避孔１３０Ｂは、図２の第４入賞部品２４の裏側部分を逃げるための前後方向への貫通孔である。部品逃避孔１３０Ｃは、図２の第５入賞部品２５の裏側部分を逃げるための前後方向への貫通孔である。部品逃避孔１３０Ｄは、図２の第６入賞部品２６の裏側部分を逃げるための前後方向への貫通孔である。部品逃避孔１３０Ｅは、図２の第７入賞部品２７の裏側部分を逃げるための前後方向への貫通孔である。部品逃避孔１３０Ｆは、図２の第８入賞部品２８の裏側部分を逃げるための前後方向への貫通孔である。部品逃避孔１３０Ｇは、図２の第９入賞部品２９の裏側部分を逃げるための前後方向への貫通孔である。部品逃避孔１３０Ｈは、図２の第１０入賞部品３０の裏側部分を逃げるための前後方向への貫通孔である。部品逃避孔１３０Ｉは、図２の第１１入賞部品３１の裏側部分を逃げるための前後方向への貫通孔である。
【００３０】
図８に戻り、部品逃避孔１３０Ａの下部には、第３球通路８５の上部、球通路８５Ａの上部、球通路８５Ｂの上部、第６球通路８８の上部、球通路８８Ａの上部、球通路８８Ｂの上部、第９球通路９１の上部が個別に開口しかつ繋がる。第９球通路９１は、下降限度位置に到達した昇降籠１２７から裏側に排出された球を下方に誘導する。第９球通路９１における裏面には、レバー室１３１、レバー軸１３２；１３３、昇降ガイド部１３４；１３５が設けられる。球導出部品１０７におけるレバー室１３１とレバー軸１３２；１３３および昇降ガイド部１３４；１３５の設けられる設置部１３６は、第３球通路８５、第４球通路８６、第６球通路８８、第７球通路８９、第１０球通路９２、第１４球通路９６、第１６球通路９８、第１８球通路１００、第２１球通路１０３で囲まれた板状であって、遊技基盤２Ａの裏面に接触して取り付けられる。
【００３１】
レバー室１３１は、左壁と右壁および下壁で囲まれ、上部および裏部を開口し、前部と左右部および下部を塞がれた形状である。レバー室１３１の左壁と右壁および下壁は、球導出部品１０７における遊技基盤２Ａの裏面に接触する板状の部分から裏側に突出する。球導出部品１０７の左壁および右壁には、レバー逃避孔１３７；１３８が、球導出部品１０７の左壁および右壁の裏側および左右方向に開口した形状に設けられる。レバー室１３１の前部を塞ぐ前壁には、球連絡孔１３９が前後方向への貫通孔として形成される。球連絡孔１３９は、昇降籠１２７からレバー室１３１に排出された後に第３レバー１４１および第４レバー１４２を動かしてレバー室１３１の下部に到達した球を、レバー室１３１から第９球通路９１における遊技基盤２Ａの裏面の側に位置された下部に排出する。球導出部品１０７の裏側には、第３レバー１４１および第４レバー１４２が設けられる。
【００３２】
第３レバー１４１は、図３の第１７入賞口４８の開閉体を開く梃子である。第３レバー１４１が第１７入賞口４８の開閉体を開く構造は、図９で詳述する。第３レバー１４１の一端部には、球受部１４３が設けられる。第３レバー１４１の他端部には、錘１４４が設けられる。第３レバー１４１の中間部には、軸受孔部１４５およびアーム１４６が設けられる。アーム１４６の上端部が第３レバー１４１にアーム軸１４７で回転可能に取り付けられ、アーム１４６が全体的に第３レバー１４１からぶら下げられた格好になる。軸受孔部１４５は、前後方向に貫通する軸受孔を有する筒状に構成される。アーム１４６の下部には、押下部１４８が突起として設けられる。アーム１４６におけるアーム軸１４７と押下部１４８との間の中間部には、被昇降ガイド部１４９が、前後方向に貫通しかつ上下方向に長い縦長の孔として設けられる。
【００３３】
第４レバー１４２は、図３の第１９入賞口５０の開閉体を開く梃子である。第４レバー１４２が第１９入賞口５０の開閉体を開く構造は、図１４で詳述する。第４レバー１４２の一端部には、球受部１５０が設けられる。球受部１５０の球と接触する上面は、後側から前側に行くにしたがって下り勾配になる斜面として構成される。第４レバー１４２の他端部には、錘１５１が設けられる。第４レバー１４２の中間部には、軸受孔部１５２およびアーム１５３が設けられる。軸受孔部１５２は、前後方向に貫通する軸受孔を有する筒状に構成される。アーム１５３の上端部が第４レバー１４２にアーム軸１５４で回転可能に取り付けられ、アーム１５３が全体的に第４レバー１４２からぶら下げられた格好になる。アーム１５３の下部には、押下部１５５が突起として設けられる。アーム１５３におけるアーム軸１５４と押下部１５５との間の中間部には、被昇降ガイド部１５６が、前後方向に貫通しかつ上下方向に長い縦長の孔として設けられる。
【００３４】
球導出部品１０７が遊技基盤２Ａに取り付けられた場合、第９球通路９１の前部は、遊技基盤２Ａにおける部品逃避孔１１５よりも下部の裏面で塞がれる。第９球通路９１の裏部、とりわけ、レバー室１３１の裏部は、通路カバー１０９で塞がれる。通路カバー１０９は、部品逃避孔１３０Ａよりも下部に位置し、球導出部品１０７の裏面に止ねじで取り付けられる。通路カバー１０９が球導出部品１０７の裏面に取り付けられた場合、球導出部品１０７および通路カバー１０９の間には、レバー配置空間が形成される。通路カバー１０９の前面には、軸被覆部１５７；１５８が、通路カバー１０９の前面から前側に突出した突起として設けられる。
【００３５】
図２と図８および図９を参照し、連動入賞機構１２５の遊技基盤２Ａの裏側への取付方について説明する。図２に示す第１乃至第１１入賞部品２１乃至３１が遊技基盤２Ａの前側から遊技基盤２Ａに取り付けられる。図８において、球導出部品１０７が遊技基盤２Ａの裏側から遊技基盤２Ａに取り付けられる。第３レバー１４１の球受部１４３がレバー室１３１の側に向けられ、第３レバー１４１の錘１４４が第４球通路８６の側に向けられ、第３レバー１４１の軸受孔部１４５が球導出部品１０７の裏側からレバー軸１３３に嵌め込まれ、レバー軸１３２の後端部が第３レバー１４１よりも裏側に突出し、第３レバー１４１における球受部１４３の側に位置する一端部がレバー逃避孔１３７に挿入され、球受部１４３がレバー室１３１に配置され、被昇降ガイド部１４９が球導出部品１０７の裏側から昇降ガイド部１３４に嵌め込まれる。これによって、図９に示すように、押下部１４８が第６入賞部品２６における被押下部２０６よりも上部の真上に配置される。
【００３６】
また、図８において、第４レバー１４２の球受部１５０がレバー室１３１の側に向けられ、第４レバー１４２の錘１５１が第７球通路８９の側に向けられ、第４レバー１４２の軸受孔部１５２が球導出部品１０７の裏側からレバー軸１３３に嵌め込まれ、レバー軸１３３の後端部が第４レバー１４２よりも裏側に突出し、第４レバー１４２における球受部１５０の側に位置する一端部がレバー逃避孔１３８に挿入され、球受部１５０が球受部１４３よりも下部に位置してレバー室１３１に配置され、被昇降ガイド部１５６が球導出部品１０７の裏側から昇降ガイド部１３５に嵌め込まれる。これによって、図９に示すように、押下部１５５が第８入賞部品２８における被押下部２０６よりも上部の真上に配置される。
【００３７】
図９に示すように、第３レバー１４１が球導出部品１０７にレバー軸１３２を中心として設置部１３６の裏面と平行で上下方向に回転し得るように取り付けられ、第４レバー１４２が球導出部品１０７にレバー軸１３３を中心として設置部１３６の裏面と平行で上下方向に回転し得るように取り付けられ、第３入賞部品２３が上でアウト口１７が下になるように、遊技基盤２Ａが起立された場合、第３レバー１４１は、錘１４４の重さによって、第３レバー１４１における球受部１４３の側に位置する一端部がレバー逃避孔１３７の上面に接触し、それ以上、球受部１４３が上に移動しないように、第３レバー１４１が球導出部品１０７に支持される。また、第４レバー１４２は、錘１５１の重さによって、第４レバー１４２における球受部１５０の側に位置する一端部がレバー逃避孔１３８の上面に接触し、それ以上、球受部１５０が上に移動しないように、第４レバー１４２が球導出部品１０７に支持される。
【００３８】
図８に戻り、軸被覆部１５７；１５８の突出した側が球導出部品１０７の側に向けられ、通路カバー１０９が球導出部品１０７の裏側からレバー室１３１と第３レバー１４１および第４レバー１４２を被覆して球導出部品１０７の裏面に図外の止ねじで取り付けられる。通路カバー１０９が球導出部品１０７に取り付けられた形態は、図１０参照。
【００３９】
図１１と図９および図１３を参照し、連動入賞機構１２５の動作について説明する。先ず、図１１のａ図に示すように、第３レバー１４１の球受部１４３が錘１４４（図１１のｃ図参照）の重さによってレバー軸１３２（図１１のｃ図参照）を中心として上方に回転してレバー逃避孔１３７の上縁部に下から受け止められ、第４レバー１４２の球受部１５０が錘１５１（図１１のｃ図参照）の重さによってレバー軸１３３（図１１のｃ図参照）を中心として上方に回転してレバー逃避孔１３８の上縁部に下から受け止められた状態において、球Ｐが第６入賞口３７（図１２参照）から裏側の昇降籠１２７に取り込まれる。次に、図１１のｂ図に示すように、昇降籠１２７が球Ｐの重さで矢印Ｘ３１の方向に下降して第９球通路９１の上部に到達する。
【００４０】
その後、図１１のｃ図において、球Ｐが矢印Ｘ３２で示すように昇降籠１２７から球受部１４３の上に落下すると、昇降籠１２７が矢印Ｘ３３の方向に上昇し、第３レバー１４１の球受部１４３が球Ｐの重さによってレバー軸１３２を中心として矢印Ｘ３４で示すように下方に回転する。したがって、図９のアーム１４６が昇降ガイド部１３４と被昇降ガイド部１４９とによる誘導を受けながら下降し、図１３の押下部１４８が第６入賞部品２６の被押下部２０６を押し下げ、図１３の第６入賞部品２６の開閉体１６３；１６４が開く。
【００４１】
前記第３レバー１４１の下方への回転に伴い、図１１のｄ図に示すように、球Ｐが球受部１４３から第４レバーの球受部１５０の上に落下すると、第３レバー１４１の球受部１４３が錘１４４の重さによってレバー軸１３２を中心として矢印Ｘ３５で示すように上方に回転してレバー逃避孔１３７の上縁部に下から受け止められ、第４レバー１４２の球受部１５０が球Ｐの重さによってレバー軸１３３を中心として矢印Ｘ３６で示すように下方に回転する。したがって、図９のアーム１５３が昇降ガイド部１３５と被昇降ガイド部１５６とによる誘導を受けながら下降し、図１４の押下部１５５が第８入賞部品２８の被押下部２０６を押し下げ、図１４の第８入賞部品２６の開閉体１６３；１６４が開く。上記第４レバー１４２の下方への回転に伴い、図１１のｅ図に示すように、球Ｐが球受部１５０から球連絡孔１３９に取り込まれ、第４レバーの球受部１５０が錘１５１の重さによってレバー軸１３３を中心として矢印Ｘ３７で示すように上方に回転し、レバー逃避孔１３８の上縁部に下から受け止められる。
【００４２】
図１２を参照し、第３レバー１４１に対となる第６入賞部品２６の構造について説明する。第６入賞部品２６は、部品基盤１６１、前化粧盤１６２、開閉体１６３；１６４、開閉軸１６５；１６６、保持体１６７、作動体１６８、作動軸１６９、止輪１７０、止ねじ１７１を備える。部品基盤１６１は、板状であって、第１７入賞口４８、軸受部１７２；１７３、化粧取付孔部１７４、盤取付孔部１７５、作動収容部１７６を備える。第１７入賞口４８は、部品基盤１６１に前後方向への貫通孔として形成される。軸受部１７２；１７３は、開閉軸１６５；１６６を個別に取り付けるものであって、部品基盤１６１の前面から内部に窪む軸受孔を備え、部品基盤１６１に設けられる。化粧取付孔部１７４は、前化粧盤１６２を取り付けるものであって、前後方向への貫通孔として、部品基盤１６１に設けられる。盤取付孔部１７５は、第６入賞部品２６を図８の遊技基盤２Ａに取り付けるものであって、前後方向への貫通孔として、部品基盤１６１に設けられる。作動収容部１７６は、作動体１６８を収容するものであって、第１７入賞口４８を縁取るように、部品基盤１６１の裏面から裏側に突出した筒状である。作動収容部１７６における左右一対の壁には、軸受孔１７７；１７８、止取付孔１７９；１８０、球逃避部１８１；１８２が設けられる。球逃避部１８１；１８２の上部を囲む左右一対の壁の後部は、保護壁１８３で互いに繋がれる。作動収容部１７６における底壁は、球排出部１８４を構成する。球排出部１８４は、第１７入賞口４８から作動体１６８の下球排出部を経由して裏側に排出された球を裏側に排出する。
【００４３】
前化粧盤１６２は、板状であって、傘部１８５、軸受孔部１８６；１８７、球導入部１８８、受止部１８９；１９０、取付孔部１９１を備える。傘部１８５は、開閉体１６３；１６４が閉じた場合において、球が開閉体１６３；１６４の間から第１７入賞口４８の側に取り込まれることがないように、第１７入賞口４８への球の入賞を阻止するものであって、前化粧盤１６２の上部に位置し、前化粧盤１６２の裏面から裏側に突出する。軸受孔部１８６；１８７は、開閉体１６３；１６４を個別に取り付けるものであって、裏側から内部に窪む軸受孔を備え、前化粧盤１６２の裏面から裏側に突出するように、前化粧盤１６２の裏面に設けられる。
【００４４】
球導入部１８８は、開いた開閉体１６３；１６４の間から開閉体１６３；１６４を閉じて第１７入賞口４８の側に落下した球を、第１７入賞口４８に誘導するものであって、前化粧盤１６２の下部に位置し、左右一対の壁と底壁とによって囲まれた形態である。球導入部１８８における左右一対の壁は、前化粧盤１６２の裏面から裏側に突出する。球導入部１８８の底壁は、左右一対の壁の下部に繋がるように前化粧盤１６２の裏面から裏側に突出する。底壁における球と接触する上面は、球を前化粧盤１６２から裏側に誘導する斜面を形成する。受止部１８９は、左の開閉体１６３が閉じる場合において、開閉体１６３の被受止部１９３を受け止めることによって、開閉体１６３の閉じ過ぎを防止するものであって、球導入部１８８における左の壁から上部に突出するように、前化粧盤１６２の裏面から裏側に突出する。受止部１９０は、右の開閉体１６４が閉じる場合において、開閉体１６４の被受止部１９６を受け止めることによって、開閉体１６４の閉じ過ぎを防止するものであって、球導入部１８８における右の壁から上部に突出するように、前化粧盤１６２の裏面から裏側に突出する。取付孔部１９１は、前化粧盤１６２を前化粧盤１６２に取り付ける止ねじ１７１を締結する筒状であって、前化粧盤１６２の裏面から裏側に突出する。
【００４５】
開閉体１６３；１６４は、互いに左右で対を成す。開閉体１６３の下部には、軸受孔１９２、被受止部１９３、錘１９４が設けられる。軸受孔１９２は、前後方向への貫通孔として形成される。被受止部１９３は、開閉体１６３の下部から下方に突出する突起として形成される。錘１９４は、開閉体１６３の裏面から内部に埋め込まれる。開閉体１６４の下部には、軸受孔１９５、被受止部１９６、錘１９７が設けられる。軸受孔１９５は、前後方向への貫通孔として形成される。被受止部１９６は、開閉体１６４の下部から下方に突出する突起として形成される。錘１９７は、開閉体１６４の裏面から内部に埋め込まれる。開閉軸１６５；１６６は、開閉体１６３；１６４の前後方向の寸法よりも前後方向に長い丸棒として構成される。
【００４６】
保持体１６７は、球の重さで作動体１６８の後部が前部よりも下方に位置するように、作動体１６８が傾斜した場合に、それ以上、作動体１６８が傾斜しないように、受け止めるとともに、作動体１６８の永久磁石に吸着されることによって、作動体１６８を傾斜した状態に保つ強磁性な金属により構成される。保持体１６７の中央部には、くびれ部１９８が設けられる。保持体１６７の両端部には、挿入部１９９；２００が設けられる。くびれ部１９８および挿入部１９９；２００の外径は、保持体１６７の両端部の外径よりも細い。
【００４７】
作動体１６８は、作動収容部１７６に収容され、開閉体１６４；１６５を開閉するための部材を構成するものであって、上球排出部２０１、下球排出部２０２、受止部２０３；２０４、軸受孔２０５、被押下部２０６、永久磁石２０７を備える。上球排出部２０１は、第６入賞部品２６では使用されないものであるが、上球排出部２０１の上方から落下した球を受け止めて左右の一側方に排出するような斜面として、作動体１６８の後上部に形成される。下球排出部２０２は、開いた開閉体１６３；１６４の間から開閉体１６３；１６４を閉じて第１７入賞口４８の側に落下した球を、第１７入賞口４８から裏側に誘導するものであって、作動体１６８の下部に形成される。受止部２０３は、開閉体１６３の被受止部１９３を上方から下方に押し下げて開閉体１６３を閉じるものであって、作動体１６８の前上左部に設けられる。受止部２０４は、開閉体１６４の被受止部１９６を上方から下方に押し下げて開閉体１６４を閉じるものであって、作動体１６８の前上右部に設けられる。軸受孔２０５は、上球排出部２０１と受止部２０３；２０４との間に位置し、作動体１６８に左右方向への貫通孔として形成される。被押下部２０６は、上球排出部２０１よりも下部に位置し、作動体１６８の後部から側方に突出する。永久磁石２０７は、球が上球排出部２０１の上に落下することによって、作動体１６８の後部が前部よりも下がるように、作動体１６８が傾斜した場合、保持体１６７を磁力で吸着し、該作動体１６８の傾斜した姿勢を保持するものであって、作動体１６８の後下部に埋め込まれて設けられる。
【００４８】
作動軸１６９は、作動体１６８の左右方向の寸法よりも左右方向に長い丸棒として構成される。作動軸１６９の一端部には、頭部２０８が設けられる。頭部２０８は、作動軸１６９の直径および軸受孔２０５の直径よりも大きな外径を有する。作動軸１６９の他端部には、溝２０９が設けられる。溝２０９は、止輪１７０を取り付けるものであって、作動軸１６９の外周面から内部に窪む形状である。止輪１７０は、環状の一部が除去された形状である。
【００４９】
第６入賞部品２６の組立方について説明する。作動体１６８が部品基盤１６１に次のように取り付けられる。上球排出部２０１が上になり、下球排出部２０２および永久磁石２０７が下になり、受止部２０３；２０４が前になり、被押下部２０６が後側になるように、作動体１６８が作動収容部１７６の内部に収容され、被押下部２０６が球逃避部１８２を経由して作動収容部１７６から右外側に突出する。その後、作動軸１６９の他端部が作動収容部１７６の外側から軸受孔１７７と軸受孔２０５および軸受孔１７８を順に経由して作動収容部１７６に嵌め込まれ、作動収容部１７６から外側に突出した溝２０９に止輪１７０が装着され、作動軸１６９が止輪１７０および頭部２０８で作動収容部１７６に脱落しないように支持され、作動体１６８が部品基盤１６１に取り付けられる。作動体１６８が部品基盤１６１に取り付けられた場合、作動体１６８は作動軸１６９を中心として上下方向に回転可能であるが、作動体１６８の前部が後部よりも重い重量配分のもと、作動体１６８が構成されているので、支持しようとする力が作動体１６８に作用しない状態では、作動体１６８の前部が作動軸１６９を中心として下方に回転し、下球排出部２０２の前部が第１７入賞口４８の下縁部に上方から受け止められる。
【００５０】
保持体１６７が部品基盤１６１に次のように取り付けられる。挿入部１９９が作動収容部１７６の内側から止取付孔１７９に嵌め込まれ、挿入部２００が作動収容部１７６の内側から止取付孔１８０に嵌め込まれることによって、保持体１６７が永久磁石２０７よりも下部に配置されて部品基盤１６１に取り付けられ、くびれ部１９８が作動収容部１７６の内部に配置される。
【００５１】
開閉体１６３；１６４が部品基盤１６１に次のように取り付けられる。開閉体１６３が左に位置するように部品基盤１６１の前側に配置され、開閉軸１６５が開閉体１６３の前側から軸受孔１９２を経由して軸受部１７３に嵌め込まれる。開閉体１６４が右に位置するように部品基盤１６１の前側に配置され、開閉軸１６６が開閉体１６４の前側から軸受孔１９５を経由して軸受部１７３に嵌め込まれ、開閉体１６３；１６４が部品基盤１６１に取り付けられる。開閉体１６３が部品基盤１６１に取り付けられ場合、開閉体１６３は開閉軸１６５を中心として部品基盤１６１の前面に沿って左右方向に回転可能であるが、開閉体１６３の錘１９４が開閉体１６３の上部を右から左に回転する重さで配置されているので、支持しようとする力が開閉体１６３に作用しない状態では、開閉体１６３が開閉軸１６５を中心として左に回転して開いた状態になる。開閉体１６４が部品基盤１６１に取り付けられた場合、開閉体１６４は開閉軸１６６を中心として部品基盤１６１の前面に沿って左右方向に回転可能であるが、開閉体１６４の錘１９７が開閉体１６４の上部が左から右に回転する重さで配置されているので、支持しようとする力が開閉体１６４に作用しない状態では、開閉体１６４が開閉軸１６６を中心として右に回転して開いた状態になる。
【００５２】
前化粧盤１６２が部品基盤１６１に次のように取り付けられる。前化粧盤１６２の裏面が部品基盤１６１の側に向けられ、傘部１８５が開閉体１６３；１６４の前側から開閉体１６３；１６４における上部の間に挿入され、開閉体１６３；１６４が球導入部１８８よりも上部に配置されるように前化粧盤１６２と部品基盤１６１との間に取り込まれ、軸受孔部１８６；１８７が開閉軸１６５；１６６における開閉体１６３；１６４よりも前側に突出した部分に個別に嵌め込まれ、取付孔部１９１の裏面や球導入部１８８の裏面が部品基盤１６１の前面に接触され、止ねじ１７１が部品基盤１６１の裏側から盤取付孔部１７５を経由して取付孔部１９１に締結され、前化粧盤１６２が部品基盤１６１に取り付けられる。これによって、第６入賞部品２６が組み立てられる（図１３参照）。
【００５３】
第６入賞部品２６が組み立てられ、開閉体１６３；１６４が開いた状態において、作動体１６８の前部が作動軸１６９を中心として下方に回転するのに伴い、受止部２０３；２０４が開閉体１６３；１６４における後側の被受止部１９３；１９５を押し下げる。これによって、開閉体１６３が開閉軸１６５を中心として左から右に回転して閉じられ、開閉体１６４が開閉軸１６６を中心として右から左に回転して閉じられ、下球排出部２０２の前部が第１７入賞口４８の下縁部に上方から受け止められる。開閉体１６３；１６４が閉じられた場合、受止部２０３；２０４と被受止部１９３；１９５とが互いに左右方向で対向して掛け止められ、開閉体１６３；１６４が開放されない。また、開閉体１６３；１６４が閉じられた場合、開閉体１６３；１６４の上部が傘部１８５と左右方向で対向し、球が開閉体１６３；１６４の間から第１７入賞口４８の側に取り込まれない。
【００５４】
開閉体１６３；１６４が閉じられた状態において、作動体１６８の前部が作動軸１６９を中心として上方に回転するのに伴い、受止部２０３；２０４と被受止部１９３；１９５との左右方向での対向が解除され、開閉体１６３；１６４が錘１９４；１９６の重さによって開閉軸１６５；１６６を中心として左右に開き、被受止部１９３；１９５の前部が受止部１８９；１９０に受け止められ、開閉体１６３；１６４における被受止部１９３；１９５の側の下部が互いに１個の球の直径よりも小さな寸法で対向するように近づき、開閉体１６３；１６４の開いた形態が保持される。開閉体１６３；１６４の開いた形態は、図２参照。開閉体１６３；１６４が開いた状態において、球が開閉体１６３；１６４の間に入って開閉体１６３；１６４の下部に到達すると、球が開閉体１６３；１６４の下部を押し下げ、開閉体１６３；１６４が開閉軸１６５；１６６を中心として閉じる。これに伴い、開閉体１６３；１６４の下部が１個の球の直径よりも大きな寸法で対向するように離れ、球が開閉体１６３；１６４の下部の間を落下して下球排出部２０２の前部に受け止められ、下球排出部２０２に受け止められた球の重さによって、作動体１６８の前部が作動軸１６９を中心として下方に回転し、受止部２０３；２０４と被受止部１９３；１９５とが互いに左右方向で対向し、開閉体１６３；１６４の閉じられた形態を保持する。
【００５５】
図１４を参照し、第４レバー１４２に対となる第８入賞部品２８の構造について説明する。第８入賞部品２８は、上球排出部２０１が球を左側に排出するような斜面として構成された事項、被押下部２０６が左側に突出するように設けられた事項が、図１３の第６入賞部品２６と異なるが、その他の構造は、図１３の第６入賞部品２６と同じである。よって、第８入賞部品２８を構成する部材には、第６入賞部品２６を構成する部材と同じ符号を付してある。
【００５６】
最良の形態によれば、図８に示すように、レバー室１３１が第９球通路９１における最上部と部品逃避孔１３０Ｅとの間に設けられている。よって、図３において、球が遊技基盤２Ａの遊技領域１３から第３入賞口３４または第４入賞口３５からレバーを動かすきっかけとなる或る入賞口としての第６入賞口３７に入ると、該球が図１１に示すように第３レバー１４１および第４レバー１４２を順に動かし、第３レバー１４１が図３に示す別の入賞口としての第１７入賞口４８に対する開閉体１６３；１６４を開き、第４レバー１４１が図３に示す別の入賞口としての第１９入賞口５０に対する開閉体１６３；１６４を開くことができる。第４レバー１４２を動かした球は、図９に示す球連絡孔１３９を経由して第９球通路９１における遊技基盤２Ａの裏面と球導出部品１０７との間に形成された下部に取り込まれた後に図３に示す第１８入賞口４９に対する開閉体１６３；１６４を開くことができる。
【産業上の利用可能性】
【００５７】
第６入賞口３７がレバーを動かすきっかけとなる或る入賞口を構成し、第３レバー１４１または第４レバー１４２の一方が第６入賞口３７に入賞した球によって遊技基盤２Ａの裏側で動かされるレバーを構成し、第３レバー１４１または第４レバー１４２の他方が除去された構造でもよい。第６入賞口３７がレバーを動かすきっかけとなる或る入賞口を構成し、第１レバー１２８が第３入賞部品２３から取り外されて球導出部品１０７の裏側に配置されて第６入賞口３７に入賞した球によって遊技基盤２Ａの裏側で動かされるレバーを構成してもよい。また、第６入賞口３７がレバーを動かすきっかけとなる或る入賞口を構成し、第２レバー１２９が第３入賞部品２３から取り外されて球導出部品１０７の裏側に配置されて第６入賞口３７に入賞した球によって遊技基盤２Ａの裏側で動かされるレバーを構成してもよい。このように第１レバー１２８または第２レバー１２９が第６入賞口３７に入賞した球によって遊技基盤２Ａの裏側で動かされるレバーを構成する場合、通路カバー１０９に類似する通路カバーが第１レバー１２８または第２レバー１２９を覆い球導出部品１０７に取り付けられれば、通路カバー１０９が第１レバー１２８または第２レバー１２９の脱落防止を図ることができる。通路カバー１０９は、遊技基盤２Ａに取り付けられてもよい。
【図面の簡単な説明】
【００５８】
【図１】ａ図は連動入賞機構の一部の分解断面図、ｂ図は連動入賞機構の一部の組立断面図（最良の形態）。
【図２】パチンコ遊技機の正面図的な模式図（最良の形態）。
【図３】第１乃至第１１入賞部品における入賞口の構成を示す遊技盤の正面からの模式図（最良の形態）。
【図４】第１乃至第１１入賞部品と第１乃至第２２入賞口と払出と連動との相互関係を示す図表（最良の形態）。
【図５】球が入賞した場合における第１入賞口、第２入賞口、第５乃至第２２入賞口の相互関係を示す遊技盤の背面からの模式図（最良の形態）。
【図６】遊技盤の裏側の分解斜視図（最良の形態）。
【図７】遊技盤の裏側の組立斜視図（最良の形態）。
【図８】連動入賞機構の分解斜視図（最良の形態）。
【図９】連動入賞機構の遊技基盤、球導出部品、第３レバー、第４レバー２の裏側の組立斜視図（最良の形態）。
【図１０】連動入賞機構の通路カバー組立斜視図（最良の形態）。
【図１１】連動入賞機構の動作説明図（最良の形態）。
【図１２】第６入賞部品の分解斜視図（最良の形態）。
【図１３】第６入賞部品および第３レバーの分解斜視図（最良の形態）。
【図１４】第８入賞部品および第４レバーの分解斜視図（最良の形態）。
【符号の説明】
【００５９】
２      遊技盤
２Ａ    遊技基盤
１３    遊技領域
３７    第６入賞口（或る入賞口）
４８    第１７入賞口（別の入賞口）
５０    第１９入賞口（別の入賞口）
１０７  球導出部品
１０９  通路カバー
１３２  レバー軸
１３３  レバー軸
１４１  第３レバー
１４２  第４レバー
１４５  軸受孔部
１５２  軸受孔部
１５７  軸被覆部
１５８  軸被覆部
１６３  開閉体
１６４  開閉体
【図１】
2007268090.tif 000003
【図２】
2007268090.tif 000004
【図３】
2007268090.tif 000005
【図４】
2007268090.tif 000006
【図５】
2007268090.tif 000007
【図６】
2007268090.tif 000008
【図７】
2007268090.tif 000009
【図８】
2007268090.tif 000010
【図９】
2007268090.tif 000011
【図１０】
2007268090.tif 000012
【図１１】
2007268090.tif 000013
【図１２】
2007268090.tif 000014
【図１３】
2007268090.tif 000015
【図１４】
2007268090.tif 000016